(57)【要約】 【課題】  「おでかけ」の際に錠前の「施錠状態」を確認することができる錠前の施・解錠状態確認装置において、表示窓を利用した不正解錠を防止すること。【解決手段】  表示窓を有する内側座板に設けた可動の施・解錠状態識別部材に材質自体により外拡変位する弾性係止部を形成し、この弾性係止部に錠前の内側錠機構を構成する作動板の連結棒を分離可能に係止し、内側座板乃至内側錠ケース部材に組み込まれた内側シリンダー錠に合鍵を差し込んで操作した場合には、作動板と共に施・解錠状態識別部材も一緒に移動し、一方、室内側から施・解錠状態識別部材を解錠方向へと操作した場合には、内側錠機構を構成する部材よりも軽い施・解錠状態識別部材は、弾性係止部の係止力がある限界を越えると弾性変位して連結棒から分離することを特徴とする錠前の施・解錠状態確認装置。【選択図】  図１
2005307586.tif 000002
【特許請求の範囲】
【請求項１】
「おでかけ」の際に錠前の「施錠状態」を確認することができる錠前の施・解錠状態確認装置において、表示窓２３を有する内側座板４に設けた可動の施・解錠状態識別部材８に材質自体により外拡変位する弾性係止部３２を形成し、この弾性係止部に錠前の内側錠機構を構成する作動板９の連結棒１２を分離可能に係止し、前記内側座板乃至内側錠ケース部材３に組み込まれた内側シリンダー錠７に合鍵を差し込んで操作した場合には、前記作動板と共に施・解錠状態識別部材も一緒に移動し、一方、室内側から施・解錠状態識別部材を解錠方向へと操作した場合には、内側錠機構を構成する部材よりも軽い施・解錠状態識別部材は、弾性係止部の係止力がある限界を越えると弾性変位して連結棒から分離することを特徴とする錠前の施・解錠状態確認装置。
【請求項２】
請求項１に於いて、施・解錠状態識別部材は、一側壁開口のケース状に形成され、内側座板の収納空間２２に余裕を持って嵌合支持されていることを特徴とする錠前の施・解錠状態確認装置。
【請求項３】
請求項１又は請求項２に於いて、施・解錠状態識別部材の弾性係止部は、垂直壁状の識別標識部３１の内壁面の略中央部から水平状態に延びる対向係止腕３３．３３であることを特徴とする錠前の施・解錠状態確認装置。
【請求項４】
請求項１に於いて、内側錠ケース部材は、ケース本体１５と、このケース本体１５の屋外側端面側に固定されたフロント板１６と、ケース本体１５の屋内側に間隙を有して又有さないで固定的に設けられた枠状硬質防御板１７とから構成されていることを特徴とする錠前の施・解錠状態確認装置。
【請求項５】
「おでかけ」の際に錠前の「施錠状態」を確認することができる錠前の施・解錠状態確認装置において、表示窓２３を有する内側座板４に設けた可動の施・解錠状態識別部材８Ａに第１磁性体４１を有する磁性係止部３２Ａを設け、この磁性係止部に錠前の内側錠機構を構成する作動板９の磁性連結部１２Ａを離脱可能に吸着し、前記内側座板乃至内側錠ケース部材３に組み込まれた内側シリンダー錠７に合鍵を差し込んで操作した場合には、前記作動板と共に施・解錠状態識別部材も一緒に吸着移動し、一方、室内側から施・解錠状態識別部材を解錠方向へと操作した場合には、内側錠機構を構成する部材よりも軽い施・解錠状態識別部材は、磁性係止部の吸着力がある限界を越えると磁性連結部から離脱することを特徴とする錠前の施・解錠状態確認装置。
【請求項６】
請求項５に於いて、磁性係止部の第１磁性体は、磁性係止部の筒状部４２に内装された付勢バネ４３、磁性体用スライダー４４を介して前記筒状部に進退動自在に設けられていることを特徴とする錠前の施・解錠状態確認装置。
【発明の詳細な説明】
【技術分野】
【０００１】
本発明は、錠前の施・解錠状態確認装置に関する。
【背景技術】
【０００２】
特許文献１には、内側座板に上下方向にスライド自在に設けられたサムターン摘み部材と、このサムターン摘み部材の操作力により係脱手段を介して上下動するようにケース本体内に設けられた作動板と、この作動板に連係するように錠箱に軸支された鎌片とからなる錠前が開示されている。
【０００３】
この錠前は、サムターン摘み部材以外に錠前の施・解錠状態確認装置に関連付けられた内側シリンダー錠を有しており、「おでかけ」の際に内側シリンダー錠に合鍵を差込み、施錠方向に内筒を回転させると、出力軸の駆動力により前記係脱手段の係合状態が解除され、サムターン摘み部材を室内側から操作しても、作動板は解錠方向へは移動しないと共に、内側シリンダー錠に設けられた識別標識部材の「施錠状態」を、内側座板に形成した表示窓から確認することができるという利点がある。
【０００４】
しかしながら、上記錠前は、表示窓から識別標識部材を介して内側シリンダー錠の内筒体を回転し、作動板を解錠方向へ移動される可能性がある。そこで、表示窓からの不正解錠を防止する対策を講じる必要がある。
【特許文献１】特開２００３−１３８８０３号公報
【発明の開示】
【発明が解決しようとする課題】
【０００５】
本発明の第１の目的は、「おでかけ」の際に錠前の「施錠状態」を確認することができる錠前の施・解錠状態確認装置において、泥棒が戸を破壊して内側座板の表示窓から工具を利用して錠前に不正な攻撃をしかけてきた場合に、仮に識別標識部材が移動しても、内側錠機構を構成する作動板が解錠方向へ移動しないことである。第２の目的は、主な構成部材を合理的な構成にし、極力部品点数を少なくすることである。第３の目的は、組み合わせの時の利便性の向上を図るために、施・解錠状態識別部材の弾性係止部（又は磁性係止部）に作動板の連結棒（又は磁性連結部）を簡単に係止（又は吸着）させることができることである。
【課題を解決するための手段】
【０００６】
本発明の錠前の施・解錠状態確認装置Ｘは、「おでかけ」の際に錠前の「施錠状態」を確認することができる錠前の施・解錠状態確認装置において、表示窓２３を有する内側座板４に設けた可動の施・解錠状態識別部材８に材質自体により外拡変位する弾性係止部３２を形成し、この弾性係止部に錠前の内側錠機構を構成する作動板９の連結棒１２を分離可能に係止し、前記内側座板４乃至内側錠ケース部材３に組み込まれた内側シリンダー錠７に合鍵を差し込んで操作した場合には、前記作動板９と共に施・解錠状態識別部材８も一緒に移動し、一方、室内側から施・解錠状態識別部材８を解錠方向へと操作した場合には、内側錠機構を構成する部材よりも軽い施・解錠状態識別部材は、弾性係止部３２の係止力がある限界を越えると弾性変位して連結棒１２から分離することを特徴とする。
【０００７】
また、本発明の錠前の施・解錠状態確認装置Ｘ１は、「おでかけ」の際に錠前の「施錠状態」を確認することができる錠前の施・解錠状態確認装置において、表示窓２３を有する内側座板４に設けた可動の施・解錠状態識別部材８Ａに第１磁性体４１を有する磁性係止部３２Ａを設け、この磁性係止部に錠前の内側錠機構を構成する作動板９の磁性連結部１２Ａを離脱可能に吸着し、前記内側座板乃至内側錠ケース部材３に組み込まれた内側シリンダー錠７に合鍵を差し込んで操作した場合には、前記作動板と共に施・解錠状態識別部材も一緒に吸着移動し、一方、室内側から施・解錠状態識別部材を解錠方向へと操作した場合には、内側錠機構を構成する部材よりも軽い施・解錠状態識別部材は、磁性係止部の吸着力がある限界を越えると磁性連結部から離脱することを特徴とする。
【０００８】
ここで「内側錠機構を構成する部材」とは、少なくとも作動板及び動力伝達機構を構成する部材をいう。
【発明の効果】
【０００９】
（１）泥棒が戸を破壊して内側座板の表示窓から工具を利用して錠前に不正な攻撃をしかけてきた場合に、仮に識別標識部材が移動しても、識別標識部材は作動板の連結棒から外れるので、作動板が解錠方向へ移動することはない。したがって、表示窓を利用した不正解錠を防止することができる。
【００１０】
（２）主な構成部材は、内側座板側の施・解錠状態識別部材と作動板の連結棒なので、極力、構成する部品点数を少なくすることができる。第２実施例も、この点は同様である。
【００１１】
（３）錠前を戸に解錠状態で取り付けた場合に於いて、施・解錠状態識別部材は重力により下がっているから、施・解錠状態識別部材の弾性係止部（又は磁性係止部）に簡単に作動板の連結棒（又は磁性連結部）を係止（吸着）させることができる。
【発明を実施するための最良の形態】
【００１２】
以下、図１乃至図１１に示す本発明を実施するための最良の形態（第１実施例）により説明する。
【００１３】
（１）発明の実施の環境
図１は発明の実施の環境を示す概略説明図である。図１に於いて、Ｘは錠前の施・解錠状態確認装置である。この施・解錠状態確認装置Ｘは、例えば引き違い戸に取付けられているが、引戸全般に適宜に取付けても良い。
【００１４】
１は内側引戸で、この内側引戸１は、例えば外側引戸２に対して召し合わせ可能にサッシ型戸枠内に設けられている。召し合わせタイプの錠前は、普通一般に召し合わせ部分（縦框）に錠ケースや座板が取り付けられている。本実施例の錠ケース、座板も同様である。
【００１５】
すなわち、３は硬質防御板を有する内側ケース部材、４は内側引戸１或いは内側錠ケース部材３に固定的に取り付けられた内側座板である。一方、５は外側ケース部材、６は外側ケース部材に固定的に取り付けられた外側座板である。
【００１６】
以下、本発明の基本的な構成部材を中心に説明するので、外側ケース部材５、外側ケース部材５に組み込まれた外側錠機構、外側座板６など本発明の特定要件に直接関係のない具体的な事項や細部的な事項は、図面及びその説明を割愛する。
【００１７】
（２）基本的な構成部材
施・解錠状態確認装置Ｘの基本的な構成部材は、図１、図２及び図３に示されている。すなわち、１は内側引戸、３は内側ケース部材、４は内側座板、７は内側座板４乃至内側錠ケース部材３に組み込まれた内側シリンダー錠、８は内側座板４に上下動自在に設けられた施・解錠状態識別部材、９は内側錠ケース部材３に設けられた錠前の内側錠機構を構成する作動板、１０は作動板９に作動軸１３を介して連係されかつ内側錠ケース部材３側の固定支軸１１に軸支された施錠片（例えば鎌片）、１２は施・解錠状態識別部材８に係脱可能な作動板９の連結棒である。
【００１８】
（３）内側錠ケース部材３
内側錠ケース部材３は、内框の開口部に内装されたケース本体１５（ケース身、ケース蓋など）と、このケース本体１５の屋外側端面側に固定されたフロント板１６と、ケース本体１５の屋内側の端面あるいは壁面側に間隙を有して又有さないで固定的に設けられた枠状硬質防御板１７とから構成されている。
【００１９】
本実施例では、フロント板１６及び硬質防御板１７は、浸炭焼き入れされている。またケース本体１５及びフロント板１６の下端部には、鎌片１０が出入りする鎌片用開口が形成されている。さらに、ケース本体１５やフロント板１６の適宜箇所には、図示しない外側錠機構用の開口、内側のシリンダー錠７用の嵌合孔、作動板９の連結棒用の切欠部、固着具用の貫通孔などがそれぞれ形成されている（一部符号略）。
【００２０】
ところで、前記硬質防御板１７は、例えば内側座板４の上下の水平メネジ杆１８，１８ないしケース本体１５を全体的にカバーすることができるように枠状（例えば一側壁開口のケース状）に形成されている。したがって、硬質防御板１７は、室内側の後壁１７ａ、上壁１７ｂ、下壁１７ｃ、左右の側壁１７ｄ、１７ｄを有する。それ故に、前記後壁１７ａの中央部の上下端部には、内側座板１７の水平メネジ杆１８，１８がそれぞれ嵌入する１対の支持孔１９．１９が形成されている。また後壁１７ａには、作動板９が上下動する関係上、その連結棒用の案内切欠部２０が形成されている（図１参照）。
【００２１】
（４）内側座板４
内側座板４は、図４で示すように、縦長状の板体であり、内壁面の上下端部に水平メネジ杆１８，１８を有し、これらの水平メネジ杆１８，１８にフロント板１６の上下端部の取付け孔を貫通する固着具２１、２１がそれぞれ螺合する。したがって、内側座板４は、固着具２１を介して内側引戸１に固定される。
【００２２】
内側座板４は、内側に施・解錠状態識別部材８の上下動を許容する収納空間２２を有している。また、内側座板４の中央部（中央部寄りの部位も含む）には、収納空間２２と連通する小孔状の表示窓２３が形成されている。この表示窓２３から施・解錠状態識別部材８に直接又は間接的に設けられた施錠状態又は解錠状態を示す識別標識部（文字、色彩、模様、図柄、蛍光色表示、蓄光表示など）３１が見える。
【００２３】
（５）内側のシリンダー錠７
内側錠機構は、普通一般に、内側座板に上下方向にスライド自在に設けられたサムターン摘み部材と、このサムターン摘み部材の操作力により上下動するようにケース本体内に設けられた作動板と、この作動板に連係するように錠箱に軸支された鎌片とからなるが、本実施例では、サムターン摘み部材は存在しない反面、内側のシリンダー錠７と、この内側シリンダー錠７の出力（駆動力）により動力伝達部材２５を介してケース本体１５内を上下動する作動板９と、この作動板９に連係するようにケース本体１５に軸支された鎌片１０とから成る（図２参照）。
【００２４】
しかして、前記動力伝達部材２５は、内側シリンダー錠７の出力軸７ａに固定されたピニオン２６及び該ピニオン２６に噛合するように作動板９の上端部に設けられたラック２７とから成る。
【００２５】
したがって、内側シリンダー錠７に合鍵を差し込んで操作すると、その出力軸７ａが所定量回転するから、作動板９は動力伝達部材２５を介して施・解錠方向へと上下動する。これにより、鎌片１０はケース本体側の固定支軸１１を支点に回転すると共に、作動板９と共に施・解錠状態識別部材８も所定方向へ一緒に移動する。
【００２６】
（６）施・解錠状態識別部材８
図２には施・解錠状態識別部材８の縦断面、図３には施・解錠状態識別部材８の斜視図が示されている。また図６乃至図８は施・解錠状態識別部材８の各説明図である。これらの各図から明らかなように、本実施例の施・解錠状態識別部材８は、一側壁開口のケース状に形成され、内側座板４の収納空間２２に余裕を持って嵌合支持されている。施・解錠状態識別部材８は、内側座板４の収納空間２２を上下方向に摺動するので、その形態は、望ましくは、収納空間２２の内壁面にスムースに案内されるように形成する。
【００２７】
しかして、３１は収納空間２２を形成する垂直内壁面２２ａに沿う垂直壁状の識別標識部で、本実施例では、図７で示すように、この識別標識部３１の下方半分に所要長さの赤色シール３１ａを貼付している。識別標識部３１の表示態様は、文字、色彩、模様、図柄、蛍光色表示、蓄光表示などを任意に採用することができる。
【００２８】
３２は識別標識部３１の内壁面の略中央部から水平状態に延びる弾性係止部で、この弾性係止部３２は、例えば対向内面を係止面３３ａ．３３ａとする一対の板状係止腕３３．３３を採用している。弾性係止部３２の形態については、特に問わないが、作動板９の連結棒１２が所定寸法の間隙３５から係合する際に該連結棒１２が係止面３３ａ．３３ａに圧接し、その結果、弾性係止部３２が材質自体により外拡変位する形状であれば良い。弾性係止部３２の板状係止腕３３．３３は、弾性変形機能と弾性復帰機能を有する。
【００２９】
（７）作動板９
長板状作動板９の形状については特に問わないが、作動板９には、前述したように動力伝達部材２５のラック２７が設けられ、また施・解錠状態識別部材８の弾性係止部３２と係脱可能な水平状連結棒１２が、施・解錠状態識別部材８の内部空間３４に入り込むように突出して設けられている。さらに、下端部に鎌片１０の係合孔と係合する作動軸１３が設けられている。鎌片１０の具体的構成は公知事項なので、詳細な説明を割愛する。  
【００３０】
（８）施・解錠状態識別部材８と作動板９との係合・分離
施・解錠状態識別部材８は、一旦、該施・解錠状態識別部材８の弾性係止部３２に作動板９の連結棒１２が係合すると、作動板９に一体的に係合する。したがって、内側座板４乃至内側錠ケース部材３に組み込まれた内側シリンダー錠７に合鍵を差し込んで操作した場合には、作動板９と共に施・解錠状態識別部材８も一緒に移動する。したがって、内側座板４の表示窓２３から目視すると、その識別標識部３１により錠前の施・解錠状態を判別することができる。
【００３１】
これに対して、仮に泥棒が内側引戸１のガラスを破壊して室内側から施・解錠状態識別部材を解錠方向へと操作した場合には、内側錠機構を構成する部材（少なくとも作動板及び動力伝達機構を構成する部材の重量）よりも軽い施・解錠状態識別部材８は、弾性係止部３２の係止力がある限界を越えると弾性変位して連結棒１２から分離する。
【００３２】
したがって、室内側から施・解錠状態識別部材８を介して作動板９を解錠方向へと動かすことができない。換言すれば、本実施例ではサムターンは存在しないが、表示板８を操作して内側シリンダー錠７を解錠状態にすることはできない。
【実施例】
【００３３】
この欄では、第１実施例の要部（施・解錠状態識別部材８の弾性係止部３２と作動板９の連結棒）を設計変更した第２実施例を示す。説明の便宜上、同一の部分には同一又は同様の符号を付し、重複する説明を割愛する。
【００３４】
図１２乃至図１４に示す第２実施例の錠前の施・解錠状態確認装置Ｘ１に於いて、第１実施例と主に異なる事項は、（ａ）可動の施・解錠状態識別部材８Ａに第１磁性体４１を有する磁性係止部３２Ａを設けた点、（ｂ）一方、前記第１磁性体４１の極性に対応して吸着する磁性連結部１２Ａを作動板９に設け点、（ｃ）磁性係止部３２Ａの第１磁性体４１と作動板９の磁性連結部１２Ａとの吸着・離脱関係は、内側座板４乃至内側錠ケース部材３に組み込まれた内側シリンダー錠７に合鍵を差し込んで操作した場合には、作動板９と共に施・解錠状態識別部材８Ａも一緒に吸着移動し、一方、室内側から施・解錠状態識別部材８Ａを解錠方向へと操作した場合には、内側錠機構を構成する部材よりも軽い施・解錠状態識別部材は、磁性係止部３２Ａの吸着力がある限界を越えると磁性連結部１２Ａから離脱する点、（ｄ）さらに、磁性係止部３２Ａの第１磁性体４１は、磁性係止部３２Ａの筒状部４２に内装された付勢バネ４３、磁性体用スライダー４４を介して前記筒状部４２に進退動自在に設けられている点である。
【００３５】
このように構成しても、図１４で示すように、磁性係止部３２Ａの第１磁性体４１と作動板９の磁性連結部１２Ａとは離脱可能であるから、前記第１実施例と同様の作用・効果がある。
【産業上の利用可能性】
【００３６】
本発明は、主に建具や錠前の業界で利用される。
【図面の簡単な説明】
【００３７】
図１乃至図１１は本発明の第１実施例を示す各説明図。図１２乃至図１４は本発明の第２実施例を示す各説明図。
【図１】第１実施例の環境を示す概略説明図（施錠状態）。
【図２】主要部の分解説明図。
【図３】主要部の分解斜視図。
【図４】室内側から内側座板を見た場合の説明図。
【図５】フロント板から見た場合の説明図。
【図６】要部（施・解錠状態識別部材）の説明図。
【図７】要部（施・解錠状態識別部材）の説明図。
【図８】要部（施・解錠状態識別部材）の横断面図。
【図９】合鍵で内側シリンダー錠を操作した場合の説明図。
【図１０】室内側から施・解錠状態識別部材を操作した場合の説明図。
【図１１】図１０に於いて、作動板の連結棒から施・解錠状態識別部材の弾性係止部が離れる場合に概略説明図。
【図１２】第２実施例の環境を示す概略説明図（施錠状態）。
【図１３】主要部の分解斜視図。
【図１４】磁性係止部と磁性連結部との吸着・分離関係を示す概略説明図。
【符号の説明】
【００３８】
Ｘ．Ｘ１…錠前の施・解錠状態確認装置、1…内側引戸、３…内側錠ケース部材、４…内側座板、７…内側シリンダー錠、８．８Ａ…施・解錠状態識別部材、９…作動板、１０…施錠片、１２…連結棒、１２Ａ磁性連結部…、１３…作動軸、１５…ケース本体、１６…フロント板、１７…硬質防御板、１８…水平メネジ杆、２１…固着具、２２…収納空間、２３…表示窓、２５…動力伝達部材、２６…ピニオン、２７…ラック、３１…識別標識部、３２…弾性係止部、３２Ａ…磁性係止部、３３…係止腕、３５…間隙、４１…第１磁性体、４２…筒状部、４３…付勢バネ、４４…磁性体用スライダー。
【図１】
2005307586.tif 000003
【図２】
2005307586.tif 000004
【図３】
2005307586.tif 000005
【図４】
2005307586.tif 000006
【図５】
2005307586.tif 000007
【図６】
2005307586.tif 000008
【図７】
2005307586.tif 000009
【図８】
2005307586.tif 000010
【図９】
2005307586.tif 000011
【図１０】
2005307586.tif 000012
【図１１】
2005307586.tif 000013
【図１２】
2005307586.tif 000014
【図１３】
2005307586.tif 000015
【図１４】
2005307586.tif 000016